(57)【要約】  本発明は、電極板の表面に付着した泡を急速に立たせ、発生した酸素／水素ガスに含まれている水素の濃度を適切に減少させる、気泡発生器を有する酸素／水素ガス発生装置に関する。特に、本発明は、電解質を収容する空間を有する電解糟と、端子から与えられた電流を用いて上記空間内に収容された電解質上で電解を行なうための、電解糟の上記空間に配置された電極板とを含み、空気が提供される管が電解糟の底面と平行に配置されており、この管に複数個のノズルが形成されていて、提供された空気を電界質に噴射することにより気泡を発生させる気泡発生器を有する酸素／水素ガス発生装置を提案する。【選択図】    なし【特許請求の範囲】
【請求項１】
電解質を収容する空間(11)を有する電解糟(10)と、
端子(22)から与えられた電流を用いて空間(11)内に収容されている電解質上で電解を行なうための、電解糟(10)の空間(11)に配置されている電極板(20)とからなり、
空気が供給される管(26)が電解糟(10)の底面と平行に配置されており、この管(26)に複数個のノズル(28)が形成されていて、供給された空気を電解質に噴射することにより気泡を発生させる気泡発生器を有する酸素／水素ガス発生装置。
【請求項２】
上記の電極板(20)が、平らなタイプの金属板(20a)をジグザグ形に連続的に折り曲げて、電解質と接触する横断面積を大きくするように形成されている請求項１の気泡発生器を有する酸素／水素ガス発生装置
【発明の詳細な説明】
【技術分野】
【０００１】
本発明は酸素／水素ガス発生装置、特に、気泡発生器を有する酸素／水素ガス発生装置に関し、この装置は電極板の表面に付着した気泡を急速に立たせ、発生された酸素／水素ガスに含まれている水素の濃度を適切に減少(希釈)させる。
【背景技術】
【０００２】
広く知られているように、酸素／水素ガス発生装置は水を電解することにより得られる酸素と水素とを発生する装置である。この装置は、少量の電解質が添加されている水を、陽極と陰極とが配置されている電解糟に与えて酸素／水素ガスを発生させ、直流を与える。ここでは、通常、酸素／水素ガスは、これらが２：１の割合で混合されて発生される。この酸素／水素ガス発生装置は、汚染物質を発生させないエネルギー源として考えられるので、その重要性は深刻な環境問題により強調される。
【０００３】
他方、酸素／水素ガス発生装置に関連する従来例は韓国実用新案公告番号第０１１７４４５号(名称：空気ガス発生器の電解糟の構造)である。
【特許文献１】韓国実用新案公告番号第０１１７４４５号
【０００４】
上記の従来例は、ガス結合(coupling)用ニップル(突起)、電解質結合用ニップル、並びに電流結合ボルトとを有する２枚の電解糟閉鎖板が形成され、４つの控えボルの両端側に結合されていて、、ボルトの開口部が、上記の２枚の電解槽閉鎖板同士間で４つの方向に形成されており、空間が(断面)円形に形成されて、交互に結合されており、この空間の一方側にボルト・ハウジングが突出していて、ガス流用の長い開口部と、電解質用の長い開口部とが電極板の中央の上側と下側で垂直方向および水平方向に形成されており、電解質充填場所が、上記の空間の内部周方向側をＯリングで封止(シール)することにより形成されていることを特徴とする。然し、この従来例は以下の問題を有する。
【発明の開示】
【発明が解決しようとする課題】
【０００５】
先ず、酸素／水素ガス発生に関して、電流が電極板に与えられると、電極板は電解質上で電解を行い、この処理中電極板の表面に泡が生じ、この泡内に含まれているガスが酸素／水素ガスである。
【０００６】
即ち、上記の酸素／水素ガスを含む泡が電解質の表面上に立ち上がり、破裂して、この泡に含まれている酸素／水素ガスが外側に排出されて、充填タンクに充填され、これによりエネルギー源として用いられる。
【０００７】
然し、電極板に付着した泡は離れる。そこで、泡が浮上できるように電極板を自由に振動させる手段を準備する必要がある。然し、過去では、人工の振動手段が準備されなかったので、泡が自然に表面に立ち、この現象が、泡たちの時間の遅れによる酸素/水素ガス量の減少と泡たち量の減少との主原因である。
【０００８】
他方、従来例により発生する酸素／水素ガス中に大量の水素が含まれるので、エネルギーとして使用されているあいだ、水素の低点火点により低温の加熱源によってでもガスは反応し、その近辺にある熱源と反応でき、使用中、ガスのバックファイアーが生じると爆発するという安全上の問題があった。
【０００９】
よって、上記の問題を解決するため、本発明の目的は、電解糟の底面に発生器を配置することにより、気泡と衝突させながら、電極板の表面に付着した泡を急速に電解質の上方に立たせる酸素／水素ガスを発生させるための、気泡発生器を有する装置を提供することである。
【００１０】
本発明のもう１つの目的は、空気を酸素／水素ガス中に含ませることにより、酸素／水素ガス中に含まれた水素の濃度を適切に減少(希釈)させることのできる酸素／水素ガスを発生させるための、気泡発生器を有する装置を提供することである。
【課題を解決するための手段】
【００１１】
上記の目的を達成するため、本発明は、気泡発生器を有し、電解質を収容するための空間(スペース)を有する電解糟と、端子から与えられる電流を用いることにより上記の空間に収容されている電解質上で電解を行なうための電解糟の上記空間に配置された電極板とを含む酸素／水素ガス発生装置を提案しており、この装置は、空気を供給する管が電解糟の底面と平行に配置されていて、その管に複数個のノズルが形成されていて、供給された空気を電解質に噴射することにより気泡を発生させることを特徴とする。
【００１２】
電極板は平らなタイプの金属板をジグザグ形に連続的に折り曲げ、電解質と接触する横断面積が大きくなるように形成されるのが好ましい。
【発明の効果】
【００１３】
上記のように、本発明は以下のように多くの効果を達成する。
【００１４】
先ず、電極板の表面に付着した酸素／水素ガス泡を、電解糟の底面に配置された気泡発生器により(発生した)気泡と衝突させながら、水表面の上方に急速に立たせることにより、発生する酸素／水素ガス量が増加する効果がある。
【００１５】
更に、酸素／水素ガスに含まれている水素の濃度が、気泡発生器により空気を酸素／水素ガスに含ませることにより適度に減少(希釈)できるので、ガスをエネルギーに変換する処理中外側の加熱源によりガスが爆発するのを防ぐことができる効果を有する。
【発明を実施するための最良の形態】
【００１６】
以下、本発明の好ましい実施例を図面を参照しながら詳細に説明する。
【００１７】
図１は本発明の好ましい実施例による酸素／水素ガスを発生させるための、気泡発生器を有する装置の斜視図を示し、図１に関し、酸素／水素ガスを発生するための、気泡発生器を有する装置は円筒形の電解糟10を含む。
【００１８】
上記の電解糟10はその内側に電解質を収容する空間11を有し、電解質供給流路12は、閉鎖されているその一側部と一体に形成されており、その対向する他側部は、開放されている電解質排出流路16を含む追加の蓋板14で覆われている。更に、電解により生じた酸素／水素ガスを排出するためのガス排出流路18は電解糟10の上側と一体に形成されている。
【００１９】
図２は、電解糟10の空間11に配置された構成要素を分解して示している斜視図を示す。
【００２０】
図示されているように、複数個の電極板20と端子22が電解糟10の空間11に形成されている。
【００２１】
電極板20は、外側から与えられた電流を用いて空間11に含まれている電解質を電解して得られる酸素と水素とを発生する手段であり、同じ形の複数個の電極板が所定間隔で空間11に配置されている。ここでは、電極板20は平らなタイプとして形成されておらず、酸素／水素ガスの発生量を増加するように、ジグザグ形に連続的に折り曲げて(20a)、電解質と接触する横断面積が大きくなる処理により形成されるのが好ましい。
【００２２】
端子22は電極板20に電流を与える手段であって、電極板20上に配置されている。ここでは、複数個の電流配電片24が、端子22と電極板20との間に挿入されている。電流配電片24は、それぞれ電極板20に結合されているあいだ、上側に結合されている端子２２から与えらた電流を、それぞれ電極板20に提供する。
【００２３】
他方、気泡発生器25が、本発明の主構造を構成する上記の電解糟10に配置されている。
【００２４】
上記の気泡発生器25は、電解糟10の空間11に含まれている電解質に空気を噴射することにより気泡を発生させる手段であり、電解糟10の底面に水平方向に配置された管26を含む。
【００２５】
上記の管26はその内側に形成された流路を通って空気を提供する。ここでは２kg／cm２の圧力の空気が管26に提供される。
【００２６】
複数個のノズル28が、所定間隔をおいて上記の管26の外面に形成されている。こららのノズル28は、管26と結合しているあいだ、電解糟10の空間11に含まれている電解質に空気を噴射し、そして多くの泡、即ち空気を含む泡B2を発生させる。
【００２７】
気泡発生器25により発生した気泡B2は、電極板20の表面に付着した混合ガスB1(即ち、酸素／水素ガスを含む泡)と衝突し、混合ガスB1を落とすことにより急速に水の上方に立たせることができる。以下の操作説明で特別な説明をする。
【００２８】
他方、電極板20が挿入されている複数個の挿入溝30aを有する振動ロッド30が更に上記の電極板20の底部に配置されている。
【００２９】
振動ロッド30はその一側に配置されている振動手段32の力により左右方向に往復動し、電極板20を自由に振動させることにより上記の気泡B2と共に電極板20の表面に付着した混合ガス泡B1を振るい落とし、これにより浮上させる。
【００３０】
上記の振動手段32は永久磁石34と電磁石36とを含む。
【００３１】
上記の永久磁石34は振動ロッド34の一側に取り付けられ、上記の電磁石36は電解糟10の外側、好ましくは、電解糟10の開放弁を閉じる覆い板14の外側で、永久磁石34の近辺に位置できるように配置されている。
【００３２】
振動手段32に関しては、力が電磁石36により与えられると、電磁石36はＳ極とＮ極とに交互に変わり、電磁石36の近くに位置する永久磁石34は、電極の変化により引張られたり、反発したり、押されたりする。そして振動ロッド30は左右方向に連続して往復動するので、電極板20は振動ロッド30の振動により弱く振動し、電極板20の表面に付着している混合ガス泡B1は振るい落とされ、浮上できる。
【００３３】
以後、本発明による酸素／水素ガスを発生するための、気泡発生器を有する装置の操作を図３を参照しながら説明する。
【００３４】
とりわけ、酸素／水素ガスを含む混合ガスの発生に関して、電解質が電解糟10の空間11に収容されており、電流が端子22に与えられると、端子22に結合している電極板20と電流配電片24とが電流を受け取り、ついで電解質上で電解を行なう。ここで、電解中、大量の酸素/水素ガスを含む混合ガス泡B1が発生し、発生した混合ガス泡B1の所定量が電解質の上方に浮上し、残りの泡は電極板20の表面に付着している。
【００３５】
同時に、空気が、電解糟10の底面に配置された気泡発生器25の管26に提供され、この空気が管26の外側に形成されているノズル28を介して電解質として噴射されると、非常に多量の気泡B2がこの処理中発生し、発生した気泡B2が上方に浮上し、電極板20の表面に付着した混合ガス泡B1と衝突して、この混合ガス泡B1が落ち、これにより浮上する。
【００３６】
即ち、混合ガス泡B1は、気泡B2により電極板20の表面には残らず、速やかに水上方に浮上する。ここでは、気泡発生器25の操作中、電極板20の底面に配置された振動ロッド30も又、振動手段32の操作に応答して電極板20を振動させるので、電極板20の表面に付着した混合ガス泡B1をより効果的に浮上させることができる。
【００３７】
他方、混合ガスB1が水上方に浮上中破裂すると、泡B1に含まれている酸素／水素を含む混合ガスが排出され、気泡が水上方を浮上中破裂すると、空気が排出される、排出された空気は酸素／水素ガスと共に混合され、ガス排出流路を介して目的地に排出されたガスは酸素／水素に加えて空気を含む。
【００３８】
即ち、上記のように、空気が、酸素／水素に加えてガスに含まれていると、この混合ガスに含まれている水素の濃度が減少(希釈)されるので、ガスをエネルギーに変換する処理中ガス爆発のような安全上の事故を防ぐことができる。
【図面の簡単な説明】
【００３９】
【図１】本発明の好ましい実施例による酸素／水素ガスを発生させるための、気泡発生器を有する装置の概略斜視図である。
【図２】図１に示された酸素／水素ガスを発生させるための、気泡発生器を有する装置の構造の分解斜視図である。
【図３】図１の酸素／水素ガスを発生させるための、気泡発生器を有する装置の横断面略図である。。
【符号の説明】
【００４０】
10：電解糟、11：空間(スペース)、20：電極板、22：端子、25：気泡発生器、26：管、28：ノズル、B1：酸素/水素混合ガス泡、B2：気泡。
【図１】
2009529099.tif 000002
【図２】
2009529099.tif 000003
【図３】
2009529099.tif 000004
【国際調査報告】
2009529099.tif 000005
2009529099.tif 000006